(57)【特許請求の範囲】
【請求項１】
異なった光反射率の部分を有する標識に光を照射する光照射部と、前記標識から反射してきた光を反射する矩形状の反射体と、前記矩形状の反射体で反射した光を集光する集光部と、前記集光部で集光された光を受光し電気信号に変換するイメージセンサと、前記矩形状の反射体を支持固定する反射体支持固定部材を有し、前記矩形状の反射体はその長手方向の両端部分のみが前記反射体支持固定部材によって支持固定され、矩形状の反射体と反射体支持固定部材の少なくとも支持固定する境界部分において相互に樹脂で形成されるとともに、反射体支持固定部材は、一対の反射体固定部を有し、この一対の反射体固定部に、矩形状の反射体の長手方向の両端部分を挿入し超音波溶着されてなる光学的情報読取装置。
【発明の詳細な説明】
【０００１】
【発明の属する技術分野】
本発明はＰＯＳ、物流、生産管理などで利用されている光学的情報読取装置に関するものである。
【０００２】
【従来の技術】
一般に、光学的情報読取装置は耐落下性あるいは耐衝撃性を確保するために、反射体支持固定部材として光学ケースおよびミラー押え金具とによって、反射体である反射ミラーを挟持・固定している場合が多い。
【０００３】
【発明が解決しようとする課題】
しかしながら、従来の光学的情報読取装置は、反射体支持固定部材として光学ケースおよびミラー押え金具といった少なくとも２個の部品によって、反射体である反射ミラーを挟持・固定しているために材料コストが高くなる、あるいは重量が重くなるといった問題点を有していた。
【０００４】
また、従来の光学的情報読取装置は耐落下性あるいは耐衝撃性を確保するために、機械的強度に優れた反射体支持部材として導電性のあるミラー押え金具を使用しているために、ミラー押え金具とメイン基板上の実装部品との距離を充分保たないと、落下・衝撃によってミラー押え金具とメイン基板上の実装部品が接触し、光学的情報読取装置が誤動作するといった問題点を有していた。このために、ミラー押え金具とメイン基板上の実装部品は充分な距離を保つ必要があり、反射ミラー周辺部の小型化は困難であった。
【０００５】
本発明は、上記問題点を解決しうる、小型・軽量の光学的情報読取装置を提供することを目的とする。
【０００６】
【課題を解決するための手段】
上記課題を解決するために本発明の光学的情報読取装置は、異なった光反射率の部分を有する標識に光を照射する光照射部と、前記標識から反射してきた光を反射する矩形状の反射体と、前記矩形状の反射体で反射した光を集光する集光部と、前記集光部で集光された光を受光し電気信号に変換するイメージセンサと、前記矩形状の反射体を支持固定する反射体支持固定部材を有し、前記矩形状の反射体はその長手方向の両端部分のみが前記反射体支持固定部材によって支持固定され、矩形状の反射体と反射体支持固定部材の少なくとも支持固定する境界部分において相互に樹脂で形成されるとともに、反射体支持固定部材は、一対の反射体固定部を有し、この一対の反射体固定部に、矩形状の反射体の長手方向の両端部分を挿入し超音波溶着されてなるものである。
【０００７】
【発明の実施の形態】
本発明の光学的情報読取装置は、異なった光反射率の部分を有する標識に光を照射する光照射部と、前記標識から反射してきた光を反射する矩形状の反射体と、前記矩形状の反射体で反射した光を集光する集光部と、前記集光部で集光された光を受光し電気信号に変換するイメージセンサと、前記矩形状の反射体の支持固定する反射体支持固定部材を有し、前記矩形状の反射体はその長手方向の両端部分のみが前記反射体支持固定部材によって支持固定することによって、反射体と反射体支持固定部材の一体化が容易となる。
【０００８】
少なくとも矩形状の反射体と反射体支持固定部材のいずれかは樹脂で形成されるとともに、反射体支持固定部材は、一対の断面コ字状の反射体固定部を有し、この一対の断面コ字状の反射体固定部に、矩形状の反射体の長手方向の両端部分を挿入し溶着固定する、あるいは少なくとも矩形状の反射体と反射体支持固定部材のいずれかは樹脂で形成されるとともに、反射体支持固定部材は、一対の断面コ字状の反射体固定部を有し、この一対の断面コ字状の反射体固定部に、矩形状の反射体の長手方向の両端部分が挿入され、その内側表面に発熱軟化材料が用いられるかまたは塗布され、超音波を前記一対の断面コ字状の反射体固定部の表面にあてることによって前記発熱軟化材料が発熱軟化し前記矩形状の反射体あるいは反射体支持固定部材が溶着することによって、１個の反射体支持固定部材で反射体の支持固定が可能となる。
【０００９】
また、矩形状の反射体と反射体支持固定部材のいずれもが樹脂で形成されるとともに、反射体支持固定部材は、一対の断面コ字状の反射体固定部を有し、この一対の断面コ字状の反射体固定部に、矩形状の反射体の長手方向の両端部分を挿入し超音波溶着することによって、矩形状の反射体と反射体支持固定部材の支持固定作業が容易となる。
【００１０】
以下、本発明の実施例について、図面を参照しながら説明する。
本発明の実施例におけるバーコードリーダとしての内部構成が理解できるように一部破断した内部構成概略図を第１図に、また内部構成分解図を第２図に示す。
【００１１】
本体ケース８、１２内部のＬＥＤ基板４にはＬＥＤ３が取り付けてある。ＬＥＤ３で発光された光は、ＬＥＤレンズ２によって拡散・集光され、バーコード読取口２０近傍に配置されたバーコードラベル１に均一な照度で照射される。均一な照度で照射された照射光はバーコードラベル１の表面で反射し、反射した光の一部が反射ミラー５に入射する。反射ミラー５に入射した光は、反射ミラー５に対する入射角によって進行方向を変え、集光レンズ６によって集光される。集光された光は、バーコドラベル１の像としてイメージセンサ７に結像し、イメージセンサ７で電気信号に変換される。変換された電気信号は、イメージセンサ７が取り付けてあるメイン基板１５上で信号処理され、ケーブル９を介してホストコンピュータ１０に送信される。
【００１２】
次に、本実施例の特徴である反射体支持固定部材と反射体の一体化構造について第３図をもとに説明する。
【００１３】
反射体支持固定部材となる光学ケース１４の一対の断面コ字状部１６に、矩形状の反射体となる反射ミラー５の長手方向の両端部分を断面コ字状部１６の断面に対して垂直に挿入する。この取付け構造によって反射ミラー５は挿入方向以外の方向に対して支持固定されることになる。さらに光学ケース１４の一対の断面コ字状部１６の内側表面には、超音波溶着を可能とするために少なくとも一対の溶着リブ１７が設けてあり、この溶着リブ１７周辺部に図示していない超音波照射装置で超音波をあてることによって溶着リブ１７および反射ミラー５の接する部分が発熱軟化溶融して溶着する。この超音波溶着によって、反射ミラー５は全方向に対して支持固定され、かつ反射ミラー５と光学ケース１４を容易に一体化することができる。
【００１４】
一般的に超音波溶現象は、超音波振動によって境界面で繰り返し衝突を起こさせることで摩擦熱を発生させ、その熱で境界面が軟化溶融し、同化作用が行われる。
【００１５】
よって、摩擦熱によって材料自体が軟化溶融するためには、熱伝導率が小さくかつ軟化溶融点が低い、例えばプラスティックなどの樹脂である必要がある。
【００１６】
したがって、超音波溶着によって反射ミラー５と光学ケース１４を一体化させるためには、少くとも反射ミラー５と光学ケース１４が接する境界部分においては、相互に樹脂でなければならない。
【００１７】
第４図をもとに超音波溶着方法について説明する。
超音波を発生させる超音波発生装置１９にはホーン１８が取り付けてあり、このホーン１８を光学ケース１４の一対の断面コ字状部１６上面に接するようにあてる。その後、超音波発生装置１９より発生された超音波がホーン１８を伝わり、さらに光学ケース１４の一対の断面コ字状部１６を伝わることで、反射ミラー５と光学ケース１４の接する部分が発熱軟化溶融し、溶着することになる。
【００１８】
【発明の効果】
以上のように本発明は、耐落下性・耐衝撃性を確保しながらも、反射体と１個の反射体支持固定部材を一体化することによって、材料コストを低減し、かつ軽量化することができる。
【００１９】
また、反射体あるいは反射体支持固定部材とメイン基板上の実装部品との距離を小さくすることによって、反射体周辺部を小型化することができる。
【図面の簡単な説明】
【図１】本発明の実施例におけるバーコードリーダとしての内部構成が理解できるように一部破断した内部構成概略図
【図２】同バーコードリーダの内部構成分解図
【図３】同バーコードリーダの反射体支持固定部材と反射体の一体化構造を示した底面斜視図
【図４】同バーコードリーダの反射体支持固定部材と反射体の超音波溶着方法を示した上面斜視図
【符号の説明】
５    反射ミラー
１４  光学ケース
１６  断面コ字状部
１７  溶着リブ
【図１】
0003775077.tif 000002
【図２】
0003775077.tif 000003
【図３】
0003775077.tif 000004
【図４】
0003775077.tif 000005